(57)【要約】【課題】色変換により画像の表示時の消費電力を低減する場合に画像の見た目の劣化を所定の範囲に収めることができるようにするものである。【解決手段】選択部は、均等色空間において入力画像の画素値から所定の距離以内に存在する複数の値のうちの、その値に基づいて表示を行う表示部の消費電力が最小となる消費電力最小値を、色変換後の入力画像の画素値として選択することにより、色変換後の入力画像を生成する。本開示は、例えば、画像処理装置等に適用することができる。【選択図】図１
2015192274.tif 000002
【特許請求の範囲】
【請求項１】
均等色空間において画像の画素値から所定の距離以内に存在する複数の値のうちの、その値に基づいて表示を行う表示部の消費電力が最小となる消費電力最小値を、色変換後の前記画像の画素値として選択することにより、前記色変換後の画像を生成する選択部
を備える画像処理装置。
【請求項２】
前記画像の特徴に基づいて前記所定の距離を決定する決定部
をさらに備える
請求項１に記載の画像処理装置。
【請求項３】
前記決定部は、前記画像の画素値が表す色に基づいて前記所定の距離を決定する
ように構成された
請求項２に記載の画像処理装置。
【請求項４】
前記決定部は、前記画像の空間周波数に基づいて前記所定の距離を決定する
ように構成された
請求項２に記載の画像処理装置。
【請求項５】
前記決定部は、前記画像の複数の画素からなるブロック単位で、前記所定の距離を決定する
ように構成された
請求項２に記載の画像処理装置。
【請求項６】
動作モードに基づいて前記所定の距離を決定する決定部
をさらに備える
請求項１に記載の画像処理装置。
【請求項７】
前記選択部により生成された前記色変換後の画像を表示する前記表示部に電力を供給する電池の残量に基づいて、前記所定の距離を決定する決定部
をさらに備える
請求項１に記載の画像処理装置。
【請求項８】
前記選択部は、均等色空間の値と、その値に基づいて表示を行う前記表示部の消費電力との関係を表す消費電力情報に基づいて、前記色変換後の画像の画素値を選択する
ように構成された
請求項１に記載の画像処理装置。
【請求項９】
前記消費電力情報を前記表示部から取得する取得部
をさらに備え、
前記選択部は、前記取得部により取得された前記消費電力情報に基づいて前記色変換後の画像の画素値を選択する
ように構成された
請求項８に記載の画像処理装置。
【請求項１０】
前記消費電力情報を記憶する記憶部
をさらに備え、
前記選択部は、前記記憶部により記憶されている前記消費電力情報に基づいて前記色変換後の画像の画素値を選択する
ように構成された
請求項８に記載の画像処理装置。
【請求項１１】
画像処理装置が、
均等色空間において画像の画素値から所定の距離以内に存在する複数の値のうちの、その値に基づいて表示を行う表示部の消費電力が最小となる消費電力最小値を、色変換後の前記画像の画素値として選択することにより、前記色変換後の画像を生成する選択ステップ
を含む画像処理方法。
【請求項１２】
コンピュータを、
均等色空間において画像の画素値から所定の距離以内に存在する複数の値のうちの、その値に基づいて表示を行う表示部の消費電力が最小となる消費電力最小値を、色変換後の前記画像の画素値として選択することにより、前記色変換後の画像を生成する選択部
として機能させるためのプログラム。
【請求項１３】
均等色空間において所定の値から所定の距離以内に存在する複数の値のうちの、その値に基づいて表示を行う表示部の消費電力が最小となる消費電力最小値と、前記所定の値とを対応付けたテーブルに基づいて、画像の各画素の画素値を、その画素値に対応する消費電力最小値に変換することにより前記画像の色変換を行う変換部
を備える画像処理装置。
【請求項１４】
前記所定の距離は、前記所定の値が表す色に基づいて決定される
ように構成された
請求項１３に記載の画像処理装置。
【請求項１５】
前記テーブルは、前記所定の値を画素値として有する画像であるサンプル画像の空間周波数ごとに前記所定の距離が異なるように生成され、
前記変換部は、前記画像の空間周波数に対応する前記テーブルに基づいて前記色変換を行う
ように構成された
請求項１３に記載の画像処理装置。
【請求項１６】
前記テーブルは、動作モードごとに前記所定の距離が異なるように生成され、
前記変換部は、現在の前記動作モードに対応する前記テーブルに基づいて前記色変換を行う
ように構成された
請求項１３に記載の画像処理装置。
【請求項１７】
前記テーブルは、前記変換部による前記色変換後の前記画像を表示する表示部に電力を供給する電池の残量ごとに前記所定の距離が異なるように生成され、
前記変換部は、現在の前記電池の残量に対応する前記テーブルに基づいて前記色変換を行う
ように構成された
請求項１３に記載の画像処理装置。
【請求項１８】
画像処理装置が、
均等色空間において所定の値から所定の距離以内に存在する複数の値のうちの、その値に基づいて表示を行う表示部の消費電力が最小となる消費電力最小値と、前記所定の値とを対応付けたテーブルに基づいて、画像の各画素の画素値を、その画素値に対応する消費電力最小値に変換することにより前記画像の色変換を行う変換ステップ
を含む画像処理方法。
【請求項１９】
コンピュータを、
均等色空間において所定の値から所定の距離以内に存在する複数の値のうちの、その値に基づいて表示を行う表示部の消費電力が最小となる消費電力最小値と、前記所定の値とを対応付けたテーブルに基づいて、画像の各画素の画素値を、その画素値に対応する消費電力最小値に変換することにより前記画像の色変換を行う変換部
として機能させるためのプログラム。
【発明の詳細な説明】
【技術分野】
【０００１】
本開示は、画像処理装置、画像処理方法、およびプログラムに関し、特に、色変換により画像の表示時の消費電力を低減する場合に画像の見た目の劣化を所定の範囲に収めることができるようにした画像処理装置、画像処理方法、およびプログラムに関する。
【背景技術】
【０００２】
ディスプレイの消費電力を削減する技術は、特にスマートフォン、タブレット端末等のバッテリで駆動するモバイル機器の長時間使用において重要な技術である。LCD（Liquid Crystal Display）の消費電力を削減する技術としては、輝度値とバックライトの輝度の積算で観測値に近づくようにすることで、バックライトの輝度を極力下げる技術がある（例えば、特許文献１参照）。しかしながら、この技術は、OLED（Organic light-Emitting Diode）ディスプレイなどの自発光型ディスプレイに適用することはできない。
【０００３】
自発光型ディスプレイの消費電力を削減する技術としては、画像の輝度に一律にゲインを乗算することにより輝度を削減する技術や、画像の特徴に応じて輝度を削減する技術（例えば、特許文献２参照）などがある。また、自発光型ディスプレイの消費電力を削減する技術としては、画像の色を変換する技術もある（例えば、特許文献３および４参照）。
【先行技術文献】
【特許文献】
【０００４】
【特許文献１】特開2013-104912号公報
【特許文献２】特開2011-2520号公報
【特許文献３】特開2011-227257号公報
【特許文献４】特開2007-148065号公報
【発明の概要】
【発明が解決しようとする課題】
【０００５】
しかしながら、特許文献３および４に記載されている技術では、色の変化による定性的な影響（見た目（視認性）への影響）が十分に考慮されておらず、色変換後の画像の見た目が著しく劣化する可能性がある。
【０００６】
本開示は、このような状況に鑑みてなされたものであり、色変換により画像の表示時の消費電力を低減する場合に画像の見た目の劣化を所定の範囲に収めることができるようにするものである。
【課題を解決するための手段】
【０００７】
本開示の第１の側面の画像処理装置は、均等色空間において画像の画素値から所定の距離以内に存在する複数の値のうちの、その値に基づいて表示を行う表示部の消費電力が最小となる消費電力最小値を、色変換後の前記画像の画素値として選択することにより、前記色変換後の画像を生成する選択部を備える画像処理装置である。
【０００８】
本開示の第１の側面の画像処理方法およびプログラムは、本開示の第１の側面の画像処理装置に対応する。
【０００９】
本開示の第１の側面においては、均等色空間において画像の画素値から所定の距離以内に存在する複数の値のうちの、その値に基づいて表示を行う表示部の消費電力が最小となる消費電力最小値が、色変換後の前記画像の画素値として選択されることにより、前記色変換後の画像が生成される。
【００１０】
本開示の第２の側面の画像処理装置は、均等色空間において所定の値から所定の距離以内に存在する複数の値のうちの、その値に基づいて表示を行う表示部の消費電力が最小となる消費電力最小値と、前記所定の値とを対応付けたテーブルに基づいて、画像の各画素の画素値を、その画素値に対応する消費電力最小値に変換することにより前記画像の色変換を行う変換部を備える画像処理装置である。
【００１１】
本開示の第２の側面の画像処理方法およびプログラムは、本開示の第２の側面の画像処理装置に対応する。
【００１２】
本開示の第２の側面においては、均等色空間において所定の値から所定の距離以内に存在する複数の値のうちの、その値に基づいて表示を行う表示部の消費電力が最小となる消費電力最小値と、前記所定の値とを対応付けたテーブルに基づいて、画像の各画素の画素値が、その画素値に対応する消費電力最小値に変換されることにより前記画像の色変換が行われる。
【発明の効果】
【００１３】
本開示の第１および第２の側面によれば、画像の色変換を行うことができる。また、本開示の第１の側面によれば、色変換により画像の表示時の消費電力を低減する場合に画像の見た目の劣化を所定の範囲に収めることができる。
【００１４】
なお、ここに記載された効果は必ずしも限定されるものではなく、本開示中に記載されたいずれかの効果であってもよい。
【図面の簡単な説明】
【００１５】
【図１】本開示を適用した画像処理装置の第１実施の形態の構成例を示すブロック図である。
【図２】色変換後の入力画像の均等画素値の候補の例を示す図である。
【図３】図１の画像処理装置の画像処理を説明するフローチャートである。
【図４】ブロックの例を示す図である。
【図５】本開示を適用した画像処理装置の第２実施の形態の構成例を示すブロック図である。
【図６】図５の画像処理装置の画像処理を説明するフローチャートである。
【図７】コンピュータのハードウエアの構成例を示すブロック図である。
【図８】本開示を適用したテレビジョン装置の概略構成例を示す図である。
【図９】本開示を適用した携帯電話機の概略構成例を示す図である。
【図１０】本開示を適用した記録再生装置の概略構成例を示す図である。
【図１１】本開示を適用した撮像装置の概略構成例を示す図である。
【発明を実施するための形態】
【００１６】
以下、本開示の前提および本開示を実施するための形態（以下、実施の形態という）について説明する。なお、説明は以下の順序で行う。
１．第１実施の形態：画像処理装置（図１乃至図４）
２．第２実施の形態：画像処理装置（図５および図６）
３．第３実施の形態：コンピュータ（図７）
４．第４実施の形態：テレビジョン装置（図８）
５．第５実施の形態：携帯電話機（図９）
６．第６実施の形態：記録再生装置（図１０）
７．第７実施の形態：撮像装置（図１１）
【００１７】
＜第１実施の形態＞
（画像処理装置の第１実施の形態の構成例）
図１は、本開示を適用した画像処理装置の第１実施の形態の構成例を示すブロック図である。
【００１８】
図１の画像処理装置１０は、色空間変換部１１、決定部１２、候補決定部１３、色空間逆変換部１４、記憶部１５、電力計算部１６、選択部１７、表示部１８、および電池１９により構成される。画像処理装置１０は、画像に対して色変換を行うことにより、電池１９の消費電力を削減する。
【００１９】
具体的には、画像処理装置１０の色空間変換部１１は、外部から入力される画像（以下、入力画像という）の各画素のRGB空間の画素値であるRGB値の色空間を、L*a*b*色空間などの知覚均等色空間に変換する。色空間変換部１１は、その結果得られる入力画像の各画素の知覚均等色空間の画素値（以下、均等画素値という）を候補決定部１３に供給する。
【００２０】
決定部１２は、画像処理装置１０の動作モードと電池１９の残量に基づいて、入力画像の画素ごとに、知覚均等色空間における色変換後の入力画像の均等画素値の候補と色変換前の入力画像の均等画素値の距離（ユークリッド距離）ΔＥ、即ち許容色変化量を決定する。画像処理装置１０の動作モードは、例えば、図示せぬ操作部などをユーザが操作することにより設定される。動作モードとしては、電池１９の残量に応じて電池１９の消費電力を削減する通常モード、電池１９の残量によらず電池１９の消費電力を削減するエコモード等がある。
【００２１】
決定部１２は、動作モードが通常モードである場合、電池１９の残量が少ないほど大きくなるように、距離ΔＥを決定する。決定部１２は、動作モードがエコモードである場合、予め設定された比較的大きい距離を距離ΔＥに決定する。
【００２２】
決定部１２は、入力画像の特徴に基づいて、決定された各画素の距離ΔＥを補正（正規化）することにより、より見た目を考慮した距離ΔＥ´を得る。具体的には、例えば、青色は色の変化が目につき易いため、決定部１２は、入力画像のRGB値が表す色が青色である場合、そのRGB値に対応する画素の距離ΔＥを減少させ、距離ΔＥ´とする。
【００２３】
また、局所的に空間周波数が高い画像は、色変換による見た目の劣化が目につきにくい。従って、決定部１２は、入力画像のRGB値に基づいて、例えば、入力画像の各画素を中心とした領域の空間周波数を算出し、空間周波数が高い場合、その空間周波数に対応する画素の距離ΔＥを増加させ、距離ΔＥ´とする。決定部１２は、距離ΔＥ´を候補決定部１３に供給する。
【００２４】
なお、距離ΔＥの補正は、入力画像のRGB値ではなく、均等画素値に基づいて行われるようにしてもよい。
【００２５】
候補決定部１３は、画素ごとに、知覚均等色空間において、色空間変換部１１から供給される均等画素値から距離ΔＥ´以内に存在する複数の値を、色変換後の入力画像の均等画素値の候補に決定する。なお、色変換後の入力画像の均等画素値の候補には、距離ΔＥ´が０である場合の値、即ち色空間変換部１１から供給される色変換前の入力画像の均等画素値を含む。候補決定部１３は、決定された色変換後の入力画像の均等画素値の候補を、色空間逆変換部１４に供給する。
【００２６】
色空間逆変換部１４は、候補決定部１３から供給される色変換後の入力画像の各画素の均等画素値の候補の色空間をRGB空間に変換する。色空間逆変換部１４は、その結果得られる各画素のRGB値を、色変換後の入力画像の各画素のRGB値の候補として電力計算部１６と選択部１７に供給する。
【００２７】
記憶部１５は、RGB値と、そのRGB値に基づいて表示を行う表示部１８の消費電力との関係を表す消費電力情報を電力モデルとして記憶する。この電力モデルは、表示部１８に応じて異なるものである。
【００２８】
電力計算部１６は、色空間逆変換部１４から供給される色変換後の入力画像の各画素のRGB値の候補に対応する消費電力を、記憶部１５に記憶されている電力モデルから読み出す。電力計算部１６は、色変換後の入力画像の各画素のRGB値の候補の消費電力を選択部１７に供給する。
【００２９】
選択部１７は、画素ごとに、電力計算部１６から供給される色変換後の入力画像のRGB値の候補の消費電力に基づいて、色変換後の入力画像のRGB値の候補のうちの消費電力が最小となるRGB値（消費電力最小値）を、色変換後の入力画像のRGB値として選択する。これにより、表示部１８の消費電力を低減した色変換後の入力画像の各画素のRGB値が生成され、表示部１８に供給される。
【００３０】
表示部１８は、例えばOLEDディスプレイ等の自発光ディスプレイである。表示部１８は、選択部１７から供給される色変換後の入力画像の各画素のRGB値に基づいて、色変換後の入力画像の表示を行う。
【００３１】
電池１９は、各部に電力を供給する。
【００３２】
なお、表示部１８は、画像処理装置１０の外部に表示装置として設けられるようにしてもよい。この場合、画像処理装置１０に対応する電力モデルは一意に決まらないため、記憶部１５の代わりに、表示装置から電力モデルを取得する取得部が設けられる。また、表示装置に電力を供給する電池は、電池１９ではなく、表示装置内に設けられる電池となる。
【００３３】
（色変換後の入力画像の均等画素値の候補の例）
図２は、色変換後の入力画像の均等画素値の候補の例を示す図である。
【００３４】
なお、図２の例では、知覚均等色空間は、L*a*b*色空間である。
【００３５】
図２に示すように、色変換後の入力画像の均等画素値の候補は、L*a*b*色空間において、色変換前の入力画像の均等画素値Ｐを中心とした半径が距離ΔＥ´の球３０の内部（球３０上を含む）に存在する。図２の例では、色変換後の入力画像の均等画素値の候補は、色変換前の入力画像の均等画素値Ｐ、均等画素値Ｐから距離ΔＥ´より小さい距離だけ離れた値Ｐｃ１、および均等画素値Ｐから距離ΔＥ´だけ離れた値Ｐｃ２である。
【００３６】
知覚均等色空間は、色空間上での距離・間隔が、知覚的な色の距離・間隔に類似するよう設計されている空間である。従って、知覚均等色空間において、色間の見た目の差の大きさは、その色間の距離、即ち色差で定量的に評価することができる。具体的には、色間の距離が小さいほど、その色間の見た目の差は小さい。
【００３７】
従って、均等画素値Ｐからの距離が距離ΔＥ´以下である球３０の内部に存在する色変換後の入力画像の均等画素値の候補に対応する色と、均等画素値Ｐに対応する色の見た目の差は、所定の範囲に収まる。
【００３８】
また、距離ΔＥ´によって、色変換後の入力画像の見た目の劣化の度合が決定される。従って、距離ΔＥ´を小さくすることにより、見た目の劣化を抑制することができるが、色変換後の入力画像の均等画素値の候補にすることが可能な値の範囲が狭まるため、消費電力の低減度合は小さくなる。また、距離ΔＥ´を大きくすることにより、見た目の劣化度合は大きくなるが、色変換後の入力画像の均等画素値の候補にすることが可能な値の範囲が広がるため、消費電力の低減度合は大きくなる。
【００３９】
（画像処理装置の処理の説明）
図３は、図１の画像処理装置１０の画像処理を説明するフローチャートである。この画像処理は、例えば、画像処理装置１０に入力画像が入力されたとき開始される。
【００４０】
図３のステップＳ１１乃至Ｓ１７の処理は、入力画像の画素ごとに行われる。ステップＳ１１において、画像処理装置１０の色空間変換部１１は、入力画像のRGB値の色空間を知覚均等色空間に変換し、その結果得られる均等画素値を候補決定部１３に供給する。
【００４１】
ステップＳ１２において、決定部１２は、画像処理装置１０の動作モードと電池１９の残量に基づいて、距離ΔＥを決定する。ステップＳ１３において、決定部１２は、入力画像に基づいて、ステップＳ１２で決定された距離ΔＥを補正し、距離ΔＥ´を生成する。決定部１２は、距離ΔＥ´を候補決定部１３に供給する。
【００４２】
ステップＳ１４において、候補決定部１３は、知覚均等色空間において均等画素値から距離ΔＥ´以内に存在する複数の値を、色変換後の入力画像の均等画素値の候補に決定し、色空間逆変換部１４に供給する。
【００４３】
ステップＳ１５において、色空間逆変換部１４は、候補決定部１３から供給される色変換後の入力画像の均等画素値の候補の色空間をRGB空間に変換する。色空間逆変換部１４は、その結果得られるRGB値を色変換後の入力画像のRGB値の候補として、電力計算部１６と選択部１７に供給する。
【００４４】
ステップＳ１６において、電力計算部１６は、色空間逆変換部１４から供給される色変換後の入力画像のRGB値の候補に対応する消費電力を、記憶部１５に記憶されている電力モデルから読み出す。電力計算部１６は、色変換後の入力画像のRGB値の候補の消費電力を選択部１７に供給する。
【００４５】
ステップＳ１７において、選択部１７は、電力計算部１６から供給される色変換後の入力画像のRGB値の候補の消費電力に基づいて、色変換後の入力画像のRGB値の候補のうちの消費電力が最小となるRGB値を、色変換後の入力画像のRGB値として選択する。選択部１７は、色変換後の入力画像のRGB値を表示部１８に供給する。
【００４６】
ステップＳ１８において、表示部１８は、入力画像の各画素についてステップＳ１１乃至Ｓ１７の処理が行われたことにより選択部１７から供給される色変換後の入力画像の各画素のRGB値に基づいて、色変換後の入力画像の表示を行う。そして、処理は終了する。
【００４７】
以上のように、画像処理装置１０は、均等色空間において色変換前の入力画像の均等画素値から距離ΔＥ´以内に存在する色変換後の入力画像の均等画素値の候補のうちの、表示部１８の消費電力が最小となる候補のRGB値を、色変換後の入力画像のRGB値として選択する。従って、色変換により入力画像の表示時の消費電力を低減する場合に入力画像の見た目の劣化を所定の範囲に収めることができる。
【００４８】
また、画像処理装置１０は、距離ΔＥではなく、入力画像の各画素のRGB値が表す色が青色である場合により小さくなる距離ΔＥ´に基づいて色変換を行う。従って、画像処理装置１０は、距離ΔＥを用いて色変換を行う場合に比べて、色変換後の入力画像の見た目の劣化が目立ち易い領域の見た目の劣化を抑制し、色変換後の入力画像の見た目を向上させることができる。
【００４９】
また、画像処理装置１０は、距離ΔＥではなく、局所的に空間周波数が高い場合により大きくなる距離ΔＥ´に基づいて色変換を行う。従って、画像処理装置１０は、距離ΔＥを用いて色変換を行う場合に比べて、色変換後の入力画像の見た目の劣化が目立ちにくい領域の表示時の消費電力を低減することができる。
【００５０】
なお、上述した説明では、決定部１２は、画素ごとに距離ΔＥ´を決定したが、複数の画素からなるブロック単位で距離ΔＥ´を決定するようにしてもよい。この場合、例えば、図４に示すように、入力画像５０が、５×５の画素５１からなるブロック５２に分割される。そして、ブロック５２の特徴に基づいて、そのブロック５２に含まれる５×５の画素５１の距離ΔＥが補正される。
【００５１】
具体的には、決定部１２は、入力画像５０の色に基づいて距離ΔＥを補正する場合、例えば、ブロック５２の中心の画素５１のRGB値が表す色に基づいて、そのブロック５２に含まれる全ての画素５１の距離ΔＥを補正する。
【００５２】
また、決定部１２は、入力画像５０の局所的な空間周波数に基づいて距離ΔＥを補正する場合、ブロック５２単位で、そのブロック５２の中心の画素５１を中心とする領域の空間周波数を算出する。そして、決定部１２は、算出された空間周波数に基づいて、ブロック５２に含まれる全ての画素５１の距離ΔＥを補正する。従って、決定部１２は、ブロック単位で距離ΔＥ´を決定することにより、画素単位で距離ΔＥ´を決定する場合に比べて処理コストを削減することができる。
【００５３】
図４の例では、ブロック５２のサイズは５×５画素であるようにしたが、ブロック５２のサイズはこれに限定されない。ブロック５２のサイズが大きいほど処理コストは削減されるが、処理コストの削減は、色変換後の入力画像の見た目の劣化とトレードオフの関係にあるため、色変換後の入力画像の見た目の劣化の許容範囲を考慮して決定される。
【００５４】
また、上述した説明では、入力画像の画素値がRGB値であるものとしたが、RGBW値であってもよい。この場合、表示部１８は、RGBW方式のディスプレイであり、電力モデルでは、発光効率の良いWに比重を置いた色(無彩色)のRGBW値に対して、より少ない消費電力が対応付けられる。
【００５５】
＜第２実施の形態＞
（画像処理装置の第２実施の形態の構成例）
図５は、本開示を適用した画像処理装置の第２実施の形態の構成例を示すブロック図である。
【００５６】
図５に示す構成のうち、図１の構成と同じ構成には同じ符号を付してある。重複する説明については適宜省略する。
【００５７】
図５の画像処理装置７０は、特徴抽出部７１、取得部７２、記憶部７３、変換部７４、表示部１８、および電池１９により構成される。画像処理装置７０は、画像処理装置１０で行われる色変換の前後のRGB値を対応付けたLUT(Look Up Table)に基づいて、色変換を行う。
【００５８】
具体的には、画像処理装置７０の特徴抽出部７１は、入力画像の各画素のRGB値に基づいて、画素ごとに、その画素を中心とした領域の空間周波数を算出する。特徴抽出部７１は、算出された空間周波数が所定の閾値以上である場合、空間周波数が高いと判定し、所定の閾値より小さい場合、空間周波数が低いと判定する。特徴抽出部７１は、各画素の空間周波数の高低を表す情報を、入力画像の特徴を表す特徴情報として変換部７４に供給する。
【００５９】
取得部７２は、画像処理装置７０の現在の動作モードを取得する。この動作モードは、画像処理装置１０の動作モードと同一であり、画像処理装置１０の場合と同様にユーザにより設定される。また、取得部７２は、現在の電池１９の残量を検出する。取得部７２は、現在の動作モードと電池１９の残量を変換部７４に供給する。
【００６０】
記憶部７３は、画像処理装置１０の動作モード、電池１９の残量、および色変換前のRGB値を画素値として有する画像（サンプル画像）の局所的な空間周波数の高低の組み合わせごとに、画像処理装置１０で行われる色変換の前後のRGB値対応付けたLUTを記憶する。
【００６１】
このLUTは、具体的には、各RGB値と、均等色空間においてそのRGB値に対応する値から所定の距離以内に存在する複数の値のうちの、その値に基づいて表示を行う表示部１８の消費電力が最小となる消費電力最小値とを対応付けたものである。所定の距離は、動作モード、電池１９の残量、空間周波数の高低の組み合わせごとに異なる。また、同一の組み合わせであっても、RGB値が表す色が青色であるかどうかによって距離は異なる。
【００６２】
変換部７４は、特徴抽出部７１から供給される特徴情報、並びに、取得部７２から供給される現在の動作モードおよび電池１９の残量の組み合わせに基づいて、記憶部７３に記憶されているLUTの中から、その組み合わせのLUTを選択する。そして、変換部７４は、選択されたLUTに基づいて、入力画像の各画素のRGB値を消費電力最小値に変換する。
【００６３】
具体的には、変換部７４は、選択されたLUTから、入力画像の各画素のRGB値に対応する消費電力最小値を読み出す。そして、変換部７４は、入力画像の各画素のRGB値を、読み出された消費電力最小値に変換する。これにより入力画像の色変換が行われる。変換部７４は、色変換後の入力画像を表示部１８に供給し、表示させる。
【００６４】
（画像処理装置の処理の説明）
図６は、図５の画像処理装置７０の画像処理を説明するフローチャートである。
【００６５】
図６のステップＳ３１において、画像処理装置７０の特徴抽出部７１は、入力画像の各画素のRGB値に基づいて、画素ごとに特徴情報を生成し、変換部７４に供給する。
【００６６】
ステップＳ３２において、取得部７２は、画像処理装置７０の現在の動作モードを取得し、変換部７４に供給する。ステップＳ３３において、取得部７２は、現在の電池１９の残量を検出し、変換部７４に供給する。
【００６７】
ステップＳ３４において、変換部７４は、特徴抽出部７１から供給される特徴情報、並びに、取得部７２から供給される現在の動作モードおよび電池１９の残量の組み合わせに基づいて、記憶部７３に記憶されているLUTの中から、その組み合わせのLUTを選択する。ステップＳ３５において、変換部７４は、選択されたLUTに基づいて、入力画像の各画素のRGB値を消費電力最小値に変換し、色変換後の入力画像として表示部１８に供給する。
【００６８】
ステップＳ３６において、表示部１８は、色変換後の入力画像を表示する。
【００６９】
以上のように、画像処理装置７０は、LUTに基づいて、入力画像のRGB値を、そのRGB値に対応する消費電力最小値に変換することにより入力画像の色変換を行う。従って、画像処理装置１０のように、色空間の変換、距離ΔＥ´の決定、色変換後の入力画像の均等画素値の候補の決定、色空間の逆変換、消費電力最小値の決定等を行う必要がなく、処理コストを削減することができる。
【００７０】
なお、LUTは、画像処理装置１０で行われる色変換の前後の均等画素値を対応付けるようにしてもよい。この場合、変換部７４の前段と後段で色空間の変換が行われる。
【００７１】
＜第３実施の形態＞
（本開示を適用したコンピュータの説明）
上述した一連の処理は、LSI（Large Scale Integration）などのハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【００７２】
図７は、上述した一連の処理をプログラムにより実行するコンピュータのハードウエアの構成例を示すブロック図である。
【００７３】
コンピュータ２００において、CPU（Central Processing Unit）２０１，ROM（Read Only Memory）２０２，RAM（Random Access Memory）２０３は、バス２０４により相互に接続されている。
【００７４】
バス２０４には、さらに、入出力インタフェース２０５が接続されている。入出力インタフェース２０５には、入力部２０６、出力部２０７、記憶部２０８、通信部２０９、及びドライブ２１０が接続されている。
【００７５】
入力部２０６は、キーボード、マウス、マイクロホンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【００７６】
以上のように構成されるコンピュータ２００では、CPU２０１が、例えば、記憶部２０８に記憶されているプログラムを、入出力インタフェース２０５及びバス２０４を介して、RAM２０３にロードして実行することにより、上述した一連の処理が行われる。
【００７７】
コンピュータ２００（CPU２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【００７８】
コンピュータ２００では、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【００７９】
なお、コンピュータ２００が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００８０】
また、コンピュータ２００が、GPU(Graphics Processing Unit)を有する場合には、上述した処理は、CPU２０１ではなく、GPUによって行われるようにしてもよい。
【００８１】
＜第４実施の形態＞
（テレビジョン装置の構成例）
図８は、本開示を適用したテレビジョン装置の概略構成を例示している。テレビジョン装置９００は、アンテナ９０１、チューナ９０２、デマルチプレクサ９０３、デコーダ９０４、映像信号処理部９０５、表示部９０６、音声信号処理部９０７、スピーカ９０８、外部インタフェース部９０９を有している。さらに、テレビジョン装置９００は、制御部９１０、ユーザインタフェース部９１１等を有している。
【００８２】
チューナ９０２は、アンテナ９０１で受信された放送波信号から所望のチャンネルを選局して復調を行い、得られた符号化ビットストリームをデマルチプレクサ９０３に出力する。
【００８３】
デマルチプレクサ９０３は、符号化ビットストリームから視聴対象である番組の映像や音声のパケットを抽出して、抽出したパケットのデータをデコーダ９０４に出力する。また、デマルチプレクサ９０３は、ＥＰＧ（Electronic Program Guide）等のデータのパケットを制御部９１０に供給する。なお、スクランブルが行われている場合、デマルチプレクサ等でスクランブルの解除を行う。
【００８４】
デコーダ９０４は、パケットの復号化処理を行い、復号処理化によって生成された映像データを映像信号処理部９０５、音声データを音声信号処理部９０７に出力する。
【００８５】
映像信号処理部９０５は、映像データに対して、ノイズ除去やユーザ設定に応じた映像処理等を行う。映像信号処理部９０５は、表示部９０６に表示させる番組の映像データや、ネットワークを介して供給されるアプリケーションに基づく処理による画像データなどを生成する。また、映像信号処理部９０５は、項目の選択などのメニュー画面等を表示するための映像データを生成し、それを番組の映像データに重畳する。映像信号処理部９０５は、このようにして生成した映像データに基づいて駆動信号を生成して表示部９０６を駆動する。
【００８６】
表示部９０６は、映像信号処理部９０５からの駆動信号に基づき表示デバイス（例えば液晶表示素子等）を駆動して、番組の映像などを表示させる。
【００８７】
音声信号処理部９０７は、音声データに対してノイズ除去などの所定の処理を施し、処理後の音声データのＤ／Ａ変換処理や増幅処理を行いスピーカ９０８に供給することで音声出力を行う。
【００８８】
外部インタフェース部９０９は、外部機器やネットワークと接続するためのインタフェースであり、映像データや音声データ等のデータ送受信を行う。
【００８９】
制御部９１０にはユーザインタフェース部９１１が接続されている。ユーザインタフェース部９１１は、操作スイッチやリモートコントロール信号受信部等で構成されており、ユーザ操作に応じた操作信号を制御部９１０に供給する。
【００９０】
制御部９１０は、ＣＰＵ(Central Processing Unit)やメモリ等を用いて構成されている。メモリは、ＣＰＵにより実行されるプログラムやＣＰＵが処理を行う上で必要な各種のデータ、ＥＰＧデータ、ネットワークを介して取得されたデータ等を記憶する。メモリに記憶されているプログラムは、テレビジョン装置９００の起動時などの所定タイミングでＣＰＵにより読み出されて実行される。ＣＰＵは、プログラムを実行することで、テレビジョン装置９００がユーザ操作に応じた動作となるように各部を制御する。
【００９１】
なお、テレビジョン装置９００では、チューナ９０２、デマルチプレクサ９０３、映像信号処理部９０５、音声信号処理部９０７、外部インタフェース部９０９等と制御部９１０を接続するためバス９１２が設けられている。
【００９２】
このように構成されたテレビジョン装置では、映像信号処理部９０５に本願の画像処理装置（画像処理方法）の機能が設けられる。このため、色変換により画像の表示時の消費電力を低減する場合に画像の見た目の劣化を所定の範囲に収めることができる。
【００９３】
＜第５実施の形態＞
（携帯電話機の構成例）
図９は、本開示を適用した携帯電話機の概略構成を例示している。携帯電話機９２０は、通信部９２２、音声コーデック９２３、カメラ部９２６、画像処理部９２７、多重分離部９２８、記録再生部９２９、表示部９３０、制御部９３１を有している。これらは、バス９３３を介して互いに接続されている。
【００９４】
また、通信部９２２にはアンテナ９２１が接続されており、音声コーデック９２３には、スピーカ９２４とマイクロホン９２５が接続されている。さらに制御部９３１には、操作部９３２が接続されている。
【００９５】
携帯電話機９２０は、音声通話モードやデータ通信モード等の各種モードで、音声信号の送受信、電子メールや画像データの送受信、画像撮影、またはデータ記録等の各種動作を行う。
【００９６】
音声通話モードにおいて、マイクロホン９２５で生成された音声信号は、音声コーデック９２３で音声データへの変換やデータ圧縮が行われて通信部９２２に供給される。通信部９２２は、音声データの変調処理や周波数変換処理等を行い、送信信号を生成する。また、通信部９２２は、送信信号をアンテナ９２１に供給して図示しない基地局へ送信する。また、通信部９２２は、アンテナ９２１で受信した受信信号の増幅や周波数変換処理および復調処理等を行い、得られた音声データを音声コーデック９２３に供給する。音声コーデック９２３は、音声データのデータ伸張やアナログ音声信号への変換を行いスピーカ９２４に出力する。
【００９７】
また、データ通信モードにおいて、メール送信を行う場合、制御部９３１は、操作部９３２の操作によって入力された文字データを受け付けて、入力された文字を表示部９３０に表示する。また、制御部９３１は、操作部９３２におけるユーザ指示等に基づいてメールデータを生成して通信部９２２に供給する。通信部９２２は、メールデータの変調処理や周波数変換処理等を行い、得られた送信信号をアンテナ９２１から送信する。また、通信部９２２は、アンテナ９２１で受信した受信信号の増幅や周波数変換処理および復調処理等を行い、メールデータを復元する。このメールデータを、表示部９３０に供給して、メール内容の表示を行う。
【００９８】
なお、携帯電話機９２０は、受信したメールデータを、記録再生部９２９で記憶媒体に記憶させることも可能である。記憶媒体は、書き換え可能な任意の記憶媒体である。例えば、記憶媒体は、ＲＡＭや内蔵型フラッシュメモリ等の半導体メモリ、ハードディスク、磁気ディスク、光磁気ディスク、光ディスク、USB（Universal Serial Bus）メモリ、またはメモリカード等のリムーバブルメディアである。
【００９９】
データ通信モードにおいて画像データを送信する場合、カメラ部９２６で生成された画像データを、画像処理部９２７に供給する。画像処理部９２７は、画像データの符号化処理を行い、符号化データを生成する。
【０１００】
多重分離部９２８は、画像処理部９２７で生成された符号化データと、音声コーデック９２３から供給された音声データを所定の方式で多重化して通信部９２２に供給する。通信部９２２は、多重化データの変調処理や周波数変換処理等を行い、得られた送信信号をアンテナ９２１から送信する。また、通信部９２２は、アンテナ９２１で受信した受信信号の増幅や周波数変換処理および復調処理等を行い、多重化データを復元する。この多重化データを多重分離部９２８に供給する。多重分離部９２８は、多重化データの分離を行い、符号化データを画像処理部９２７、音声データを音声コーデック９２３に供給する。画像処理部９２７は、符号化データの復号化処理を行い、画像データを生成する。この画像データを表示部９３０に供給して、受信した画像の表示を行う。音声コーデック９２３は、音声データをアナログ音声信号に変換してスピーカ９２４に供給して、受信した音声を出力する。
【０１０１】
このように構成された携帯電話装置では、画像処理部９２７に本願の画像処理装置（画像処理方法）の機能が設けられる。このため、色変換により画像の表示時の消費電力を低減する場合に画像の見た目の劣化を所定の範囲に収めることができる。
【０１０２】
＜第６実施の形態＞
（記録再生装置の構成例）
図１０は、本開示を適用した記録再生装置の概略構成を例示している。記録再生装置９４０は、例えば受信した放送番組のオーディオデータとビデオデータを、記録媒体に記録して、その記録されたデータをユーザの指示に応じたタイミングでユーザに提供する。また、記録再生装置９４０は、例えば他の装置からオーディオデータやビデオデータを取得し、それらを記録媒体に記録させることもできる。さらに、記録再生装置９４０は、記録媒体に記録されているオーディオデータやビデオデータを復号して出力することで、モニタ装置等において画像表示や音声出力を行うことができるようにする。
【０１０３】
記録再生装置９４０は、チューナ９４１、外部インタフェース部９４２、エンコーダ９４３、ＨＤＤ（Hard Disk Drive）部９４４、ディスクドライブ９４５、セレクタ９４６、デコーダ９４７、ＯＳＤ（On-Screen Display）部９４８、制御部９４９、ユーザインタフェース部９５０を有している。
【０１０４】
チューナ９４１は、図示しないアンテナで受信された放送信号から所望のチャンネルを選局する。チューナ９４１は、所望のチャンネルの受信信号を復調して得られた符号化ビットストリームをセレクタ９４６に出力する。
【０１０５】
外部インタフェース部９４２は、ＩＥＥＥ１３９４インタフェース、ネットワークインタフェース部、ＵＳＢインタフェース、フラッシュメモリインタフェース等の少なくともいずれかで構成されている。外部インタフェース部９４２は、外部機器やネットワーク、メモリカード等と接続するためのインタフェースであり、記録する映像データや音声データ等のデータ受信を行う。
【０１０６】
エンコーダ９４３は、外部インタフェース部９４２から供給された映像データや音声データが符号化されていないとき所定の方式で符号化を行い、符号化ビットストリームをセレクタ９４６に出力する。
【０１０７】
ＨＤＤ部９４４は、映像や音声等のコンテンツデータ、各種プログラムやその他のデータ等を内蔵のハードディスクに記録し、また再生時等にそれらを当該ハードディスクから読み出す。
【０１０８】
ディスクドライブ９４５は、装着されている光ディスクに対する信号の記録および再生を行う。光ディスク、例えばＤＶＤディスク（ＤＶＤ−Ｖｉｄｅｏ、ＤＶＤ−ＲＡＭ、ＤＶＤ−Ｒ、ＤＶＤ−ＲＷ、ＤＶＤ＋Ｒ、ＤＶＤ＋ＲＷ等）やＢｌｕ−ｒａｙ（登録商標）ディスク等である。
【０１０９】
セレクタ９４６は、映像や音声の記録時には、チューナ９４１またはエンコーダ９４３からのいずれかの符号化ビットストリームを選択して、ＨＤＤ部９４４やディスクドライブ９４５のいずれかに供給する。また、セレクタ９４６は、映像や音声の再生時に、ＨＤＤ部９４４またはディスクドライブ９４５から出力された符号化ビットストリームをデコーダ９４７に供給する。
【０１１０】
デコーダ９４７は、符号化ビットストリームの復号化処理を行う。デコーダ９４７は、復号処理化を行うことにより生成された映像データをＯＳＤ部９４８に供給する。また、デコーダ９４７は、復号処理化を行うことにより生成された音声データを出力する。
【０１１１】
ＯＳＤ部９４８は、項目の選択などのメニュー画面等を表示するための映像データを生成し、それをデコーダ９４７から出力された映像データに重畳して出力する。
【０１１２】
制御部９４９には、ユーザインタフェース部９５０が接続されている。ユーザインタフェース部９５０は、操作スイッチやリモートコントロール信号受信部等で構成されており、ユーザ操作に応じた操作信号を制御部９４９に供給する。
【０１１３】
制御部９４９は、ＣＰＵやメモリ等を用いて構成されている。メモリは、ＣＰＵにより実行されるプログラムやＣＰＵが処理を行う上で必要な各種のデータを記憶する。メモリに記憶されているプログラムは、記録再生装置９４０の起動時などの所定タイミングでＣＰＵにより読み出されて実行される。ＣＰＵは、プログラムを実行することで、記録再生装置９４０がユーザ操作に応じた動作となるように各部を制御する。
【０１１４】
このように構成された記録再生装置では、デコーダ９４７に本願の画像処理装置（画像処理方法）の機能が設けられる。このため、色変換により画像の表示時の消費電力を低減する場合に画像の見た目の劣化を所定の範囲に収めることができる。
【０１１５】
＜第７実施の形態＞
（撮像装置の構成例）
図１１は、本開示を適用した撮像装置の概略構成を例示している。撮像装置９６０は、被写体を撮像し、被写体の画像を表示部に表示させたり、それを画像データとして、記録媒体に記録する。
【０１１６】
撮像装置９６０は、光学ブロック９６１、撮像部９６２、カメラ信号処理部９６３、画像データ処理部９６４、表示部９６５、外部インタフェース部９６６、メモリ部９６７、メディアドライブ９６８、ＯＳＤ部９６９、制御部９７０を有している。また、制御部９７０には、ユーザインタフェース部９７１が接続されている。さらに、画像データ処理部９６４や外部インタフェース部９６６、メモリ部９６７、メディアドライブ９６８、ＯＳＤ部９６９、制御部９７０等は、バス９７２を介して接続されている。
【０１１７】
光学ブロック９６１は、フォーカスレンズや絞り機構等を用いて構成されている。光学ブロック９６１は、被写体の光学像を撮像部９６２の撮像面に結像させる。撮像部９６２は、ＣＣＤまたはＣＭＯＳイメージセンサを用いて構成されており、光電変換によって光学像に応じた電気信号を生成してカメラ信号処理部９６３に供給する。
【０１１８】
カメラ信号処理部９６３は、撮像部９６２から供給された電気信号に対してニー補正やガンマ補正、色補正等の種々のカメラ信号処理を行う。カメラ信号処理部９６３は、カメラ信号処理後の画像データを画像データ処理部９６４に供給する。
【０１１９】
画像データ処理部９６４は、カメラ信号処理部９６３から供給された画像データの符号化処理を行う。画像データ処理部９６４は、符号化処理を行うことにより生成された符号化データを外部インタフェース部９６６やメディアドライブ９６８に供給する。また、画像データ処理部９６４は、外部インタフェース部９６６やメディアドライブ９６８から供給された符号化データの復号化処理を行う。画像データ処理部９６４は、復号化処理を行うことにより生成された画像データを表示部９６５に供給する。また、画像データ処理部９６４は、カメラ信号処理部９６３から供給された画像データを表示部９６５に供給する処理や、ＯＳＤ部９６９から取得した表示用データを、画像データに重畳させて表示部９６５に供給する。
【０１２０】
ＯＳＤ部９６９は、記号、文字、または図形からなるメニュー画面やアイコンなどの表示用データを生成して画像データ処理部９６４に出力する。
【０１２１】
外部インタフェース部９６６は、例えば、ＵＳＢ入出力端子などで構成され、画像の印刷を行う場合に、プリンタと接続される。また、外部インタフェース部９６６には、必要に応じてドライブが接続され、磁気ディスク、光ディスク等のリムーバブルメディアが適宜装着され、それらから読み出されたコンピュータプログラムが、必要に応じて、インストールされる。さらに、外部インタフェース部９６６は、ＬＡＮやインターネット等の所定のネットワークに接続されるネットワークインタフェースを有する。制御部９７０は、例えば、ユーザインタフェース部９７１からの指示にしたがって、メディアドライブ９６８から符号化データを読み出し、それを外部インタフェース部９６６から、ネットワークを介して接続される他の装置に供給させることができる。また、制御部９７０は、ネットワークを介して他の装置から供給される符号化データや画像データを、外部インタフェース部９６６を介して取得し、それを画像データ処理部９６４に供給したりすることができる。
【０１２２】
メディアドライブ９６８で駆動される記録メディアとしては、例えば、磁気ディスク、光磁気ディスク、光ディスク、または半導体メモリ等の、読み書き可能な任意のリムーバブルメディアが用いられる。また、記録メディアは、リムーバブルメディアとしての種類も任意であり、テープデバイスであってもよいし、ディスクであってもよいし、メモリカードであってもよい。もちろん、非接触IC（Integrated Circuit）カード等であってもよい。
【０１２３】
また、メディアドライブ９６８と記録メディアを一体化し、例えば、内蔵型ハードディスクドライブやＳＳＤ（Solid State Drive）等のように、非可搬性の記憶媒体により構成されるようにしてもよい。
【０１２４】
制御部９７０は、ＣＰＵを用いて構成されている。メモリ部９６７は、制御部９７０により実行されるプログラムや制御部９７０が処理を行う上で必要な各種のデータ等を記憶する。メモリ部９６７に記憶されているプログラムは、撮像装置９６０の起動時などの所定タイミングで制御部９７０により読み出されて実行される。制御部９７０は、プログラムを実行することで、撮像装置９６０がユーザ操作に応じた動作となるように各部を制御する。
【０１２５】
このように構成された撮像装置では、画像データ処理部９６４に本願の画像処理装置（画像処理方法）の機能が設けられる。このため、色変換により画像の表示時の消費電力を低減する場合に画像の見た目の劣化を所定の範囲に収めることができる。
【０１２６】
なお、本明細書に記載された効果はあくまで例示であって限定されるものではなく、他の効果があってもよい。
【０１２７】
また、本開示の実施の形態は、上述した実施の形態に限定されるものではなく、本開示の要旨を逸脱しない範囲において種々の変更が可能である。
【０１２８】
例えば、本開示は、１つの機能をネットワークを介して複数の装置で分担、共同して処理するクラウドコンピューティングの構成をとることができる。
【０１２９】
また、上述のフローチャートで説明した各ステップは、１つの装置で実行する他、複数の装置で分担して実行することができる。
【０１３０】
さらに、１つのステップに複数の処理が含まれる場合には、その１つのステップに含まれる複数の処理は、１つの装置で実行する他、複数の装置で分担して実行することができる。
【０１３１】
また、本開示は、以下のような構成もとることができる。
【０１３２】
（１）
均等色空間において画像の画素値から所定の距離以内に存在する複数の値のうちの、その値に基づいて表示を行う表示部の消費電力が最小となる消費電力最小値を、色変換後の前記画像の画素値として選択することにより、前記色変換後の画像を生成する選択部
を備える画像処理装置。
（２）
前記画像の特徴に基づいて前記所定の距離を決定する決定部
をさらに備える
前記（１）に記載の画像処理装置。
（３）
前記決定部は、前記画像の画素値が表す色に基づいて前記所定の距離を決定する
ように構成された
前記（２）に記載の画像処理装置。
（４）
前記決定部は、前記画像の空間周波数に基づいて前記所定の距離を決定する
ように構成された
前記（２）または（３）に記載の画像処理装置。
（５）
前記決定部は、前記画像の複数の画素からなるブロック単位で、前記所定の距離を決定する
ように構成された
前記（２）乃至（４）のいずれかに記載の画像処理装置。
（６）
動作モードに基づいて前記所定の距離を決定する決定部
をさらに備える
前記（１）乃至（５）のいずれかに記載の画像処理装置。
（７）
前記選択部により生成された前記色変換後の画像を表示する前記表示部に電力を供給する電池の残量に基づいて、前記所定の距離を決定する決定部
をさらに備える
前記（１）乃至（６）のいずれかに記載の画像処理装置。
（８）
前記選択部は、均等色空間の値と、その値に基づいて表示を行う前記表示部の消費電力との関係を表す消費電力情報に基づいて、前記色変換後の画像の画素値を選択する
ように構成された
前記（１）乃至（７）のいずれかに記載の画像処理装置。
（９）
前記消費電力情報を前記表示部から取得する取得部
をさらに備え、
前記選択部は、前記取得部により取得された前記消費電力情報に基づいて前記色変換後の画像の画素値を選択する
ように構成された
前記（８）に記載の画像処理装置。
（１０）
前記消費電力情報を記憶する記憶部
をさらに備え、
前記選択部は、前記記憶部により記憶されている前記消費電力情報に基づいて前記色変換後の画像の画素値を選択する
ように構成された
前記（８）に記載の画像処理装置。
（１１）
画像処理装置が、
均等色空間において画像の画素値から所定の距離以内に存在する複数の値のうちの、その値に基づいて表示を行う表示部の消費電力が最小となる消費電力最小値を、色変換後の前記画像の画素値として選択することにより、前記色変換後の画像を生成する選択ステップ
を含む画像処理方法。
（１２）
コンピュータを、
均等色空間において画像の画素値から所定の距離以内に存在する複数の値のうちの、その値に基づいて表示を行う表示部の消費電力が最小となる消費電力最小値を、色変換後の前記画像の画素値として選択することにより、前記色変換後の画像を生成する選択部
として機能させるためのプログラム。
（１３）
均等色空間において所定の値から所定の距離以内に存在する複数の値のうちの、その値に基づいて表示を行う表示部の消費電力が最小となる消費電力最小値と、前記所定の値とを対応付けたテーブルに基づいて、画像の各画素の画素値を、その画素値に対応する消費電力最小値に変換することにより前記画像の色変換を行う変換部
を備える画像処理装置。
（１４）
前記所定の距離は、前記所定の値が表す色に基づいて決定される
ように構成された
前記（１３）に記載の画像処理装置。
（１５）
前記テーブルは、前記所定の値を画素値として有する画像であるサンプル画像の空間周波数ごとに前記所定の距離が異なるように生成され、
前記変換部は、前記画像の空間周波数に対応する前記テーブルに基づいて前記色変換を行う
ように構成された
前記（１３）または（１４）に記載の画像処理装置。
（１６）
前記テーブルは、動作モードごとに前記所定の距離が異なるように生成され、
前記変換部は、現在の前記動作モードに対応する前記テーブルに基づいて前記色変換を行う
ように構成された
前記（１３）乃至（１５）のいずれかに記載の画像処理装置。
（１７）
前記テーブルは、前記変換部による前記色変換後の前記画像を表示する表示部に電力を供給する電池の残量ごとに前記所定の距離が異なるように生成され、
前記変換部は、現在の前記電池の残量に対応する前記テーブルに基づいて前記色変換を行う
ように構成された
前記（１３）乃至（１６）のいずれかに記載の画像処理装置。
（１８）
画像処理装置が、
均等色空間において所定の値から所定の距離以内に存在する複数の値のうちの、その値に基づいて表示を行う表示部の消費電力が最小となる消費電力最小値と、前記所定の値とを対応付けたテーブルに基づいて、画像の各画素の画素値を、その画素値に対応する消費電力最小値に変換することにより前記画像の色変換を行う変換ステップ
を含む画像処理方法。
（１９）
コンピュータを、
均等色空間において所定の値から所定の距離以内に存在する複数の値のうちの、その値に基づいて表示を行う表示部の消費電力が最小となる消費電力最小値と、前記所定の値とを対応付けたテーブルに基づいて、画像の各画素の画素値を、その画素値に対応する消費電力最小値に変換することにより前記画像の色変換を行う変換部
として機能させるためのプログラム。
【符号の説明】
【０１３３】
１０  画像処理装置，  １２  決定部，  １５  記憶部，  １７  選択部，  １９  電池，  ７０  画像処理装置，  ７４  変換部
【図１】
2015192274.tif 000003
【図２】
2015192274.tif 000004
【図３】
2015192274.tif 000005
【図４】
2015192274.tif 000006
【図５】
2015192274.tif 000007
【図６】
2015192274.tif 000008
【図７】
2015192274.tif 000009
【図８】
2015192274.tif 000010
【図９】
2015192274.tif 000011
【図１０】
2015192274.tif 000012
【図１１】
2015192274.tif 000013